(57)【特許請求の範囲】
【請求項１】
少なくとも一つのＩＰ電話端末と、前記ＩＰ電話端末を管理するＩＰ電話システム主装置と、ＩＰネットワーク上のＩＰ機器にネットワーク情報の通知を行うネットワーク情報通知装置とを含むＩＰ電話システムであって、
ＩＰ電話端末は、前記ネットワーク情報通知装置との間で送受信するネットワーク情報の処理を行うネットワーク情報処理部を有し、新規登録時には、自身のＭＡＣアドレスと
前記ネットワーク情報通知装置より受信したＩＰアドレスと、自身がＩＰ電話端末であることを示す端末情報を含む接続要求メッセージを前記ネットワーク情報通知装置に送信し、
前記ネットワーク情報通知装置は、ＩＰ機器に通知するネットワーク情報の管理や制御を行うためのネットワーク情報制御部と記憶部とを有し、該記憶部に予め前記ＩＰ電話システム主装置のＩＰアドレスを記憶しておき、ネットワーク情報制御部は、ＩＰ電話端末より接続要求メッセージを受信すると該メッセージ中の端末情報を確認し、端末情報が電話端末であることを示す場合には、前記記憶部に記憶しておいたＩＰアドレスに基づいてＩＰ電話システム主装置に前記ＩＰ電話端末のＭＡＣアドレスおよびＩＰアドレスを含む端末登録要求メッセージを送信し、
前記ＩＰ電話システム主装置は前記ＩＰ電話端末の管理や制御を行うための電話制御部とＩＰ電話端末のＭＡＣアドレスとＩＰアドレスを対応付けて電話番号を管理する管理テーブルとを有し、前記電話制御部は、前記端末登録要求メッセージを受信すると該管理テーブルを参照し、前記端末登録要求メッセージに含まれるＭＡＣアドレスとＩＰアドレスに対応付けて既に登録されているかまたは新規に登録した電話番号を前記ネットワーク情報通知装置に送信し、
前記ネットワーク情報通知装置のネットワーク制御部は、また、該電話番号を受信して前記新規登録ＩＰ電話端末に、該電話番号と前記記憶部に記憶しているＩＰ電話システム主装置のＩＰアドレスとを通知し、
前記ＩＰ電話装置のネットワーク情報処理部が該受信した電話番号およびＩＰ電話システム主装置のＩＰアドレスに基づいて設定処理を行うことを特徴とするＩＰ電話システム。
【請求項２】
前記ネットワーク情報の通知には、ダイナミック・ホスト・コンフィギュレーション・プロトコル（Dynamic Host Configuration Protocol：以下ＤＨＣＰ）を用い、前記ネットワーク情報通知装置はＤＨＣＰ装置であり、前記ＩＰ電話端末から前記ＤＨＣＰ装置への端末種別の通知は、ＲＥＱＵＥＳＴメッセージに含めて送信されることを特徴とする前記請求項１に記載のＩＰ電話システム。
【請求項３】
少なくとも一つのＩＰ電話端末と、前記ＩＰ電話端末を管理するＩＰ電話システム主装置と、ＩＰネットワーク上のＩＰ機器にネットワーク情報の通知を行うネットワーク情報通知装置とを含むＩＰ電話システムにおけるＩＰ電話端末の登録方法であって、
ＩＰ電話端末から、自身のＭＡＣアドレスと前記ネットワーク情報通知装置より受信したＩＰアドレスと、自身がＩＰ電話端末であることを示す端末情報を含む接続要求メッセージを前記ネットワーク情報通知装置に送信し、
前記ネットワーク情報通知装置は記憶部とを有し、該記憶部に予め前記ＩＰ電話システム主装置のＩＰアドレスを記憶しておき、ＩＰ電話端末より接続要求メッセージを受信すると該メッセージ中の端末情報を確認し、端末情報が電話端末であることを示す場合には、前記記憶部に記憶しておいたＩＰアドレスに基づいてＩＰ電話システム主装置に前記ＩＰ電話端末のＭＡＣアドレスおよびＩＰアドレスを含む端末登録要求メッセージを送信し、
前記ＩＰ電話システム主装置は、ＩＰ電話端末のＭＡＣアドレスとＩＰアドレスに対応付けて電話番号を管理している管理テーブルを有し、前記端末登録要求メッセージを受信すると該管理テーブルを参照し、前記端末登録要求メッセージに含まれるＭＡＣアドレスとＩＰアドレスに対応付けて既に登録されているかまたは新規に登録した電話番号を前記ネットワーク情報通知装置に送信し、
前記ネットワーク情報通知装置は、前記ＩＰ電話端末に、該電話番号と前記記憶部に記憶しているＩＰ電話システム主装置のＩＰアドレスとを通知し、
前記ＩＰ電話装置が該受信した電話番号およびＩＰ電話システム主装置のＩＰアドレスに基づいて設定処理を行うことによりＩＰ電話端末の登録を行うことを特徴とするＩＰ電話端末の登録方法。
【請求項４】
前記ネットワーク情報の通知には、ダイナミック・ホスト・コンフィギュレーション・プロトコル（Dynamic Host Configuration Protocol：以下ＤＨＣＰ）を用い、前記ネットワーク情報通知装置はＤＨＣＰ装置であり、前記ＩＰ電話端末から前記ＤＨＣＰ装置への端末種別の通知は、ＲＥＱＵＥＳＴメッセージに含めて送信されることを特徴とする前記請求項４に記載のＩＰ電話端末の登録方法。
【請求項５】
少なくとも一つのＩＰ電話端末と、前記ＩＰ電話端末を管理するＩＰ電話システム主装置と、ＩＰネットワーク上のＩＰ機器にネットワーク情報の通知を行うネットワーク情報通知装置とを含むＩＰ電話システムにおいて、前記ネットワーク情報通知装置におけるＩＰ電話端末の登録時の処理方法であって、
該ネットワーク情報通知装置は記憶部を有し該記憶部に予め前記ＩＰ電話システム主装置のＩＰアドレスを記憶しておき、
ＩＰ電話端末から、自身のＭＡＣアドレスと前記ネットワーク情報通知装置より受信したＩＰアドレスと、自身がＩＰ電話端末であることを示す端末情報を含む接続要求メッセージを受信し、
ＩＰ電話端末より接続要求メッセージを受信すると該メッセージ中の端末情報を確認し、端末情報が電話端末であることを示す場合には、前記記憶部に記憶しておいたＩＰアドレスに基づいてＩＰ電話システム主装置に前記ＩＰ電話端末のＭＡＣアドレスおよびＩＰアドレスを含む端末登録要求メッセージを送信し、
前記ＩＰ電話システム主装置より前記ＩＰ電話端末のＭＡＣアドレスとＩＰアドレスに対応付けて既に登録されているかまたは新規に登録した電話番号を受信し、
前記ＩＰ電話端末に、該電話番号と前記記憶部に記憶しているＩＰ電話システム主装置のＩＰアドレスとを通知することを特徴とするネットワーク情報通知装置におけるＩＰ電話端末の登録時の処理方法。
【請求項６】
少なくとも一つのＩＰ電話端末と、前記ＩＰ電話端末を管理するＩＰ電話システム主装置と、ＩＰネットワーク上のＩＰ機器にネットワーク情報の通知を行うネットワーク情報通知装置とを含むＩＰ電話システムにおける前記ＩＰ電話端末の登録時の処理方法であって、
該ネットワーク情報通知装置は記憶部を有し該記憶部に予め前記ＩＰ電話システム主装置のＩＰアドレスを記憶しておき、
前記ＩＰ電話システム主装置は登録しているＩＰ電話端末のＭＡＣアドレスと対応付けて電話番号を記憶しておき、
ＩＰ電話端末は、自身のＭＡＣアドレスと前記ネットワーク情報通知装置より受信したＩＰアドレスと、自身がＩＰ電話端末であることを示す端末情報を含む接続要求メッセージを前記ネットワーク情報通知装置に送信し、
該ネットワーク情報通知装置は、前記記憶部に記憶しておいた前記ＩＰ電話システム主装置のＩＰアドレスに基づいて前記ＩＰ電話システム主装置に前記ＩＰ電話端末のＭＡＣアドレスとＩＰアドレスとを送信し、ＩＰ電話システム主装置から該ＩＰ電話端末のＭＡＣアドレスに対応付けられて登録された電話番号を受信し、当該電話番号と前記ＩＰ電話システム主装置のＩＰアドレスとを、前記ＩＰ電話端末に送信し、
該ＩＰ電話端末は該受信した電話番号およびＩＰ電話システム主装置のＩＰアドレスに基づいて設定処理を行うことを特徴とするＩＰ電話システムにおける前記ＩＰ電話端末の登録時の処理方法。
【請求項７】
前記ネットワーク情報の通知には、ダイナミック・ホスト・コンフィギュレーション・プロトコル（Dynamic Host Configuration Protocol：以下ＤＨＣＰ）を用い、前記ネットワーク情報通知装置はＤＨＣＰ装置であり、前記ＩＰ電話端末から前記ＤＨＣＰ装置への端末種別の通知は、ＲＥＱＵＥＳＴメッセージに含めて送信されることを特徴とする前記請求項５に記載のネットワーク情報通知装置におけるＩＰ電話端末の登録時の処理方法。
【発明の詳細な説明】
【技術分野】
【０００１】
本発明はＩＰ電話システムおよびＩＰ電話端末の登録方法に関する。
【背景技術】
【０００２】
近年、インターネットやイントラネットなどのＩＰネットワークの発展により、ネットワークを介した様々なコミュニケーション手段が発明されている。特にボイス  オーバ  アイピー(Voice Over IP)技術を用いたＩＰ電話の登場により電話システムは大きな変革期を迎えている。そのＩＰ電話システムの代表的なものの一つに企業内などで利用される内線ＩＰ電話システムがある。
【０００３】
一般的に、内線ＩＰ電話システムにおいては、ＩＰ電話システム主装置(以下、主装置とする)は、が内線電話システム内の電話端末を管理し、これら電話端末間の通話のための呼制御を行う。電話端末にはさまざまなタイプがあり、ＩＰネットワークに直接接続できる固定ＩＰ電話機や、パーソナルコンピュータ(Personal Computer:以下ＰＣ)15上のソフトフォンと呼ばれる電話アプリケーションプログラムにスピーカ・マイクを接続した電話端末や、無線LANアクセスポイントを経由して接続される無線電話端末などがある。
【０００４】
内線ＩＰ電話システムを構築する時には、内線ＩＰ電話システム内のすべての電話端末にＩＰアドレスと内線番号を割り当てる必要がある。また同時に主装置にもこれら端末の設定情報を管理情報として登録しておく必要がある。これらの設定内容の整合性が取られることにより内線ＩＰ電話システムとして機能するようになる。
【０００５】
このうち内線番号の番号割当ては、複数拠点や在籍人数などを考慮して、システム導入前に綿密な番号計画を策定しておく必要がある。この番号計画は非常に手間がかかる。この問題点を解決するための一例としては、特開２００２−３１５０２９号で例示されているように、その電話端末の設置場所に応じて自動的に内線番号を割り当てる方法が開示されている。
【０００６】
また電話端末のＩＰアドレス設定もシステム導入時に一台ごとに行わなくてはならず、非常に手間がかかっていた。ＩＰアドレス割当ての軽減方法としては、ダイナミック  ホスト  コンフィギュレーション  プロトコル(Dynamic Host Configuration Protocol:以下、ＤＨＣＰ)の利用が考えられる。ＤＨＣＰは、ＩＰネットワークに接続するＩＰ機器に、ＩＰアドレスなどのネットワーク情報を割り当てるプロトコルであり、ＩＰネットワーク上にＤＨＣＰ装置を設置することにより、ＤＨＣＰ対応の電話端末であれば、ＩＰアドレスの設定が不要となり、ＩＰ機器である電話端末への設定作業を軽減することができる。
【０００７】
ＤＨＣＰ装置は、ＤＨＣＰ対応のＩＰ機器がＩＰネットワークに接続されると、あらかじめ決められた範囲でユニークなＩＰアドレスをＩＰ機器に割り当てることができる。また、ＤＨＣＰには、ＲＦＣ２１３１とＲＦＣ２１３２で拡張機能が規定されている。この拡張機能を利用し、オプション部分にタグ番号で示されるさまざまな種類のデータを設定して、より詳細なオプション・データを通知することができる。例えば、ＤＨＣＰ装置により割り当てられたＩＰアドレスに利用可能期間（リース期間）を設定したり、端末側に使用させたいＤＮＳ(Domain Name Server)サーバやデフォルト・ゲートウェイのＩＰアドレスを送信し、これらを自動設定させたりすることができる。
【０００８】
【特許文献１】特許第３４３６４７１号公報
【特許文献２】特許第３１５５２４０号公報
【特許文献３】特開２００２−３１５０２９号
【発明の開示】
【発明が解決しようとする課題】
【０００９】
上記従来技術によると、ＩＰ電話端末をＩＰ電話システムに新規に登録する場合、ＤＨＣＰによりＩＰアドレスを自動的に設定したり、内線番号を自動的に割り当てることはできるが、主装置のＩＰアドレスの取得が実現できていない。このため、個々のＩＰ電話端末に対して作業者が電話端末の設定作業を行う必要が依然発生する。ＩＰ電話システム導入時は、膨大な数のＩＰ電話端末を同時期に登録する必要があり、作業者によりひとつひとつのＩＰ電話端末の設定作業を行うのでは効率が悪い。また作業ミス起きない設定方法も望まれていた。
【００１０】
本発明は上記課題に鑑みてなされたものであり、ＩＰ電話システムへの電話端末の登録を自動化し、端末設定作業の効率向上と作業ミスを排除することを目的とする。
【課題を解決するための手段】
【００１１】
上記課題を解決するため、本発明においては、電話端末をＩＰネットワークに接続すると、ＤＨＣＰ装置が主装置に端末登録要求を出し、主装置は電話番号を自動的に割当て端末登録処理を行い、ＤＨＣＰ装置は電話端末に返すネットワーク情報の通知に、主装置のＩＰアドレスと割り当てられた電話番号を含めて通知し、電話端末は受信した主装置のＩＰアドレスと電話番号とを自端末の情報として設定することにより、電話端末の登録を自動化した。
【００１２】
より詳しくは、少なくとも一つのＩＰ電話端末と、ＩＰ電話端末を管理するＩＰ電話システム主装置と、ＩＰネットワーク上のＩＰ機器にネットワーク情報の通知を行うネットワーク情報通知装置とを含むＩＰ電話システムにおいて、ＩＰ電話端末は、新規登録時には、自身のＭＡＣアドレスとネットワーク情報通知装置より受信したＩＰアドレスと、自身がＩＰ電話端末であることを示す端末情報を含む接続要求メッセージをネットワーク情報通知装置に送信し、ネットワーク情報通知装置は、記憶部を有し、該記憶部に予め前記ＩＰ電話システム主装置のＩＰアドレスを記憶しておき、ＩＰ電話端末より接続要求メッセージを受信すると記憶しておいたＩＰアドレスに基づいてＩＰ電話システム主装置にＩＰ電話端末のＭＡＣアドレスおよびＩＰアドレスを含む端末登録要求メッセージを送信し、ＩＰ電話システム主装置は電話番号を管理する管理テーブルとを有し、端末登録要求メッセージに含まれるＭＡＣアドレスとＩＰアドレスに対応付けて既に登録されているかまたは新規に登録した電話番号をネットワーク情報通知装置に送信し、ネットワーク情報通知装置は、また、電話番号を受信してＩＰ電話端末に、電話番号と記憶部に記憶しているＩＰ電話システム主装置のＩＰアドレスとを通知し、
ＩＰ電話装置のネットワーク情報処理部が受信した電話番号およびＩＰ電話システム主装置のＩＰアドレスに基づいて設定処理を行ようにした。
【発明の効果】
【００１３】
本発明によれば、ＩＰ電話端末をＩＰネットワークに接続するだけで、内線電話番号が割り当てられ電話機として利用することができるようになる。すなわちＩＰ電話端末のプラグアンドプレイ(Ｐｌｕｇ＆Ｐｌａｙ)を実現できる。
【００１４】
これにより、従来は作業者の手作業で実施していた電話端末の登録作業が不要となり、端末設定作業者の電話端末設置にかかる時間と労力を大幅に軽減することができる。
その他の効果として、手作業で実施していた内線電話番号やＩＰアドレスの設定誤りなどの人的ミスが根本的に排除できる。
【発明を実施するための最良の形態】
【００１５】
以下、本発明の実施形態について図面を参照して詳述する。
【００１６】
まず、一般的な内線ＩＰ電話システムの概略構成を図１に示す。図１において、ＩＰ電話システム主装置１１(以下、主装置１１とする)は、内線電話システム内の電話端末１２、１３、１４、１７を管理し、これら電話端末間の通話のための呼制御を行うものである。電話端末にはさまざまなタイプがあり、ＩＰネットワークに直接接続できる固定ＩＰ電話機１２、１３や、パーソナルコンピュータ(ＰＣ：Personal Computer)15上のソフトフォンと呼ばれる電話アプリケーションプログラム１４にスピーカ・マイク１６を接続した電話端末や、無線LANアクセスポイント１７を経由して接続される無線電話端末１８などがある。
【００１７】
内線ＩＰ電話システム構築時には、すべての電話端末１２、１３、１４、１７にＩＰアドレスと内線番号を割り当てる必要がある。また同時に主装置１１にもこれら端末の設定情報を管理情報として登録しておく必要がある。これらの設定内容がすべて揃い、かつ整合性が取れてはじめて内線ＩＰ電話システムとして機能するようになる。
【００１８】
次に、本発明における一実施形態のＩＰ電話システムの構成について説明する。
図２は、本発明における一実施形態を示すブロック構成図である。
図２において、ＤＨＣＰ装置２１０と、主装置２２０と、ＩＰ電話端末２３０が、ＩＰネットワーク１９に接続される構成により実現するものである。
【００１９】
主装置２２０は、ＩＰ電話システム主装置であり、電話端末の登録や呼接続を行う電話制御部２２１と、ハードウェアを制御するＯＳ２２２と、ＩＰネットワーク１９に接続するデバイスであるＮｅｔｗｏｒｋ  Ｉｎｔｅｒｆａｃｅ  Ｃａｒｄ（以下ＮＩＣと略す）２２３と、電話端末の登録状態や内線電話番号を記憶する記憶領域２２４とから構成される。主装置２２０は、ＩＰ電話システム配下にあるＩＰ電話端末２３０の内線番号とＩＰアドレスを記憶領域２２４内にある管理テーブル５１にて管理することにより、電話端末間の呼接続制御と通話管理を実現している。
【００２０】
図５に、管理テーブルのイメージを示す。
管理テーブル５１は、図５に示すように、内線番号に対応する情報を同一レコードに持つ構成をとる。例えば、内線番号３０１に対応するＩＰアドレスは10.0.0.11、ＭＡＣアドレスは00:00:00:00:00:11が割り当てられ、内線番号３０２に対応するＩＰアドレスとしては10.0.0.12、ＭＡＣアドレスは00:00:00:00:00:12が割り当てられている。内線番号３０１と内線番号３０２は、すでにＩＰ端末に割当済みで割当済みフラグが立っている。このうち、内線番号３０１の端末は現在接続中、内線番号３０２の端末は未接続状態である。内線番号３０３、３０４、３０５はまだ端末に割り当てられていない内線番号である。
【００２１】
図２に戻り、ＩＰ電話端末２３０は、記憶領域２３１と、ＮＩＣ２３２と、デバイス制御部２３３と、ＤＨＣＰ処理部２３４と、音声処理部２３５と、ハンドセット２３６から構成される。記憶領域２３１は、自電話番号や接続先主装置２２０のＩＰアドレスを格納する。またＩＰ電話端末２３０は、ＩＰネットワークに接続できるＩＰ機器としてＤＨＣＰに対応しており、ＤＨＣＰ処理部２３４は、ＤＨＣＰ装置２１０と通信して、ＤＨＣＰ装置２１０から通知されるＩＰアドレスなどの各種パラメータを、自端末の記憶領域２３１に設定する。ＩＰ電話端末２３０は、固定電話タイプでもＰＣ上のソフトフォンであっても良い。
【００２２】
ＤＨＣＰ装置２１０は、ＤＨＣＰ制御部２１１と、ハードウェアを制御するＯＳ２１２と、ＮＩＣ２１３と、記憶領域２１４とから構成される。
ＤＨＣＰ制御部２１１は、ＤＨＣＰ対応したさまざまなＩＰ機器に対してユニークなＩＰアドレスを付与し、これを記憶領域２１４にて管理する。また、前述したＤＨＣＰ拡張機能を持ち、オプションフィールドにさまざまなパラメータ設定ができる機能を有する。
本実施例では、ＤＨＣＰ装置２１０が、予め記憶領域２１４に主装置２２０のＩＰアドレスを格納し、主装置２２０と通信することによりＩＰ電話端末の登録処理を実行し、ＤＨＣＰ拡張機能を用いて、主装置２２０のＩＰアドレスと内線電話番号とをＩＰ電話端末２３０に通知することにより、電話端末の登録を完了できるところが特徴である。この処理の具体的な内容について、以下図３および図６を用いて説明する。
【００２３】
図３は、一連の端末登録処理を実行する図２の構成におけるＤＨＣＰ装置２１０とＩＰ電話端末２３０と主装置２２０との間でのメッセージ送受信を示す図である。
図３において、それぞれの処理主体は、ＤＨＣＰ装置２１０ではＤＨＣＰ制御部２１１であり、ＩＰ電話端末２３０ではＤＨＣＰ処理部であり、主装置２２０では電話制御部２２１である。
電話端末２３０とＤＨＣＰ装置２１０との一連のメッセージの送受信は、ＲＦＣ２１３１とＲＦＣ２１３２で規定されているメッセージ構成で行われる。
【００２４】
図６は、電話端末とＤＨＣＰ装置との間で送受信される各々のメッセージの構成を説明する図である。
電話端末とＤＨＣＰ装置との間で送受信されるメッセージは、
ＲＦＣ２１３１とＲＦＣ２１３２で規定されているイーサネット（イーサネットは登録商標）フレームで送信される。イーサネットフレームは、送信先ＭＡＣアドレスと送信元ＭＡＣアドレスとＩＰパケット部分からなる。ＩＰパケットは、送信先ＩＰアドレスと、送信元ＩＰアドレスとＵＤＰパケットからなる。そして、ＵＤＰパケットは、送信元ポートと、送信先ポートと、メッセージ部分を含む。
【００２５】
ＩＰ電話端末２３０をＩＰネットワーク１９に接続すると、ＩＰ電話端末２３０のＤＨＣＰ機能により、ＤＨＣＰ装置２１０にＤＩＳＣＯＶＥＲメッセージ６１をブロードキャスト送信する(ステップ３１)。ＤＩＳＣＯＶＥＲメッセージは、図６(ａ)に示すような構成である。
ＤＩＳＣＯＶＥＲメッセージ６１を見つけたＤＨＣＰ装置２１０は、ＩＰ電話端末２３０にＯＦＦＥＲメッセージ６２を送信し、候補となる端末ＩＰアドレス「１０．０．０．１３」を通知する(ステップ３２)。候補となるＩＰアドレスの通知は、ＯＦＦＥＲメッセージを利用して行う。図６（ｂ）にＯＦＦＥＲメッセージの構成を示す。図６（ｂ）に示すように、ＯＦＦＥＲメッセージには、メッセージとともに端末ＩＰアドレスが含まれている。ＩＰ電話端末２３０は、ＯＦＦＥＲメッセージを受信するとＯＦＦＥＲメッセージとともに送られきた端末ＩＰアドレスを取得する。
【００２６】
続いてＩＰ電話端末２３０は、端末ＩＰアドレスの正式取得要求であるＲＥＱＵＥＳＴメッセージ６３を送信する。このＲＥＱＵＥＳＴメッセージ６３では、正式ＩＰアドレスとして先に受信した「１０．０．０．１３」を要求し、端末種別としては「電話端末」を通知する(ステップ３３)。図６（ｃ）に、このＲＥＱＵＥＳＴメッセージの構成を示す。ＲＥＱＵＥＳＴメッセージは、図６（ｃ）に示すように、端末ＩＰアドレスと端末種別を含んでいる。
【００２７】
このＲＥＱＵＥＳＴメッセージ６３を受け取ったＤＨＣＰ装置２１０は、まず端末種別を判定する。端末種別が電話端末である場合には、主装置２２０に端末登録要求メッセージを出す。この端末登録要求メッセージのパラメータとして、ＩＰ電話端末２３０に割り当てるべきＩＰアドレスとＩＰ電話端末２３０のＭＡＣアドレスが設定されている(ステップ３４)。  主装置２２０は、端末登録要求を受け端末登録処理３５を実行する。
【００２８】
図４は主装置２２０の端末登録処理３５の処理フローを説明する図である。
【００２９】
図４において、まず、管理テーブル５１のＭＡＣアドレスフィールドを参照して、ステップ３４で受信した端末登録要求メッセージに含まれたＭＡＣアドレスの登録有無を調べる(ステップ４１)。すでにＭＡＣアドレスが登録されている場合は、該当するレコードの内線番号を返す(ステップ４２)。一方、ステップ３４で受信した端末登録要求メッセージに含まれたＭＡＣアドレスが管理テーブル５１のＭＡＣアドレスフィールドに登録されていない場合は、新たに内線番号を割り当てる(ステップ４３)。新たな内線番号の割り当て方法はいろいろ考えられるが、例として、ステップ４３では、管理テーブル５１の割当てフラグが「未」のレコードを順に探し、最初に見つけたレコードの内線番号を新規内線番号とする。このレコードのＩＰアドレスとＭＡＣアドレスにステップ３４で受信したＩＰアドレスとＭＡＣアドレスを設定し、同レコードの割当てフラグを「済」に設定する(ステップ４４)。最後に接続状態を「接続」に設定する(ステップ４５)。また、ＭＡＣアドレスとＩＰアドレスを主装置２２０に通知しているため、前記の特開２００２−３１５０２９号の方式を利用して、内線番号を自動的に適切に設定することも可能である。以上の処理が完了することで主装置２２０の電話端末の登録が完了する。その後、ＤＨＣＰ装置２１０に最終的に取得できた内線電話番号を通知する(ステップ３６)。
ＤＨＣＰ装置２１０は、端末用の正式ＩＰアドレスの通知メッセージとして、ステップ３６で受信した内線電話番号と記憶領域２１４に格納されている主装置２２０のＩＰアドレスとをオプション情報として設定し、ＩＰ電話端末２３０にＡＣＫメッセージを送信する(ステップ３７)。図６（ｄ）に、ＡＣＫメッセージの構成を示す。ＡＣＫメッセージには、パラメータとして、主装置のＩＰアドレス、内線電話番号、端末ＩＰアドレスが含まれる。
【００３０】
ＩＰ電話端末２３０では、ステップ３７で受信したこれらのパラメータを自端末に設定することにより、電話として機能できる状態になる(ステップ３８)。
本実施例では、図２に示すように主装置２２０とＤＨＣＰ装置２１０を分離した構成としているが、主装置２２０とＤＨＣＰ装置２１０が同一筐体である構成でも、機能的に本実施例に示すような同様の動作をすることが可能である。
【図面の簡単な説明】
【００３１】
【図１】内線ＩＰ電話システムの概略構成を示す図である。
【図２】本発明の一実施形態における内線ＩＰ電話システムの構成を示すブロック図である。
【図３】本発明の一実施形態における装置、端末間のメッセージ送受信を示すシーケンス図である。
【図４】主装置における端末登録処理のフローを示す図である。
【図５】主装置の管理テーブルの構成を示す図である。
【図６】ＤＨＣＰメッセージの構成を示す図である。
【符号の説明】
【００３２】
１１  ＩＰ電話システム主装置
１２,１３  ＩＰ電話端末
１４  電話アプリケーションプログラム
１５  ＰＣ
１６  スピーカ・マイク
１７  無線LANアクセスポイント
１８  無線電話端末
【図１】
0004605066.tif 000002
【図２】
0004605066.tif 000003
【図３】
0004605066.tif 000004
【図４】
0004605066.tif 000005
【図５】
0004605066.tif 000006
【図６】
0004605066.tif 000007